(57)【要約】【課題】複数のナットの均一な締め付けによるワイヤロープの締結を能率よく行うことができるようにしたワイヤクリップを提供することである。【解決手段】一対の挟持プレート２０の対向面それぞれにロープ溝２１を設け、そのロープ溝２１の両側部に形成されて挟持プレート２０の幅方向で対向する一対のボルト挿入孔２３を挟持プレート２０の長さ方向に間隔をおいて少なくとも３組以上設け、それぞれのボルト挿入孔２３にボルト３０を挿入し、そのボルト３０にねじ係合されたナット４０の回動により一対の挟持プレート２０を締め付けてロープ溝２１のそれぞれに挿入された２条のワイヤロープ１を締結する。一対の挟持プレート２０の一方の挟持プレート２０を、長さ方向に並ぶボルト挿入孔２３間に分割面が位置するようにして長さ方向に複数に分割して、ボルト３０およびナット４０を分割数に応じて組み分けし、組を形成する少ない数のナット４０の相互においての締め付け力の均一化を図り易くする。【選択図】図２
2015031302.tif 000002
【特許請求の範囲】
【請求項１】
ワイヤロープが挿入されるロープ溝を対向内面に有する一対の挟持プレートを有し、その一対の挟持プレートのそれぞれに前記ロープ溝の両側部に形成されて挟持プレートの幅方向で対向する一対のボルト挿入孔を挟持プレートの長さ方向に間隔をおいて少なくとも３つ以上形成し、一対の挟持プレートの一方の端部の角部に爪を設け、かつ、他方の端部の角部には対向する挟持プレートに形成された前記爪が挿入される切欠部を形成し、前記一対の挟持プレートを前記ボルト挿入孔に挿入されるボルトと、そのボルトの端部にねじ係合されたナットの締め付けにより締結して、前記ロープ溝に挿入されたワイヤロープを挟持するようにしたワイヤクリップにおいて、
前記一対の挟持プレートの一方の挟持プレートを、長さ方向に並ぶボルト挿入孔間に分割面が位置するようにして長さ方向に複数に分割したことを特徴とするワイヤクリップ。
【請求項２】
前記分割面の一方に凹部を設け、他方にその凹部に嵌合される凸部を設けた請求項１に記載のワイヤクリップ。
【発明の詳細な説明】
【技術分野】
【０００１】
この発明は、ワイヤロープを挟持する際に使用されるワイヤクリップに関する。
【背景技術】
【０００２】
物品吊下げ用として、あるいは、補強用として使用されるワイヤロープにおいては、クレーン等のフックに対して係合されるループ状のアイが形成されている。そのアイの形成に際しては、ワイヤロープの端部を折り返し、その折り返し端部とワイヤロープの端部の重なり部をワイヤクリップで挟持することが行われる。
【０００３】
ここで、アイを形成する折り返し端部とワイヤロープの端部の重なり部の２条のワイヤロープは張力の負荷時に相反する方向に牽引されるため、大きな負荷が付与されるワイヤロープに対してのアイの形成には、例えば、特許文献１に記載されたワイヤクリップが一般的に採用される。
【０００４】
その特許文献１に記載されたワイヤクリップにおいては、一対の上下外片間に台片を介在し、その台片と一対の外片の対向面間のそれぞれに形成された凹溝内にアイの両端部に連なる２条のワイヤロープのそれぞれを嵌合させた状態で複数のＵボルトおよびそのＵボルトの端部にねじ係合されたナットの締め付け操作により、上下外片および台片を締め付けて、２条のワイヤロープを挟持するようにしている。
【先行技術文献】
【特許文献】
【０００５】
【特許文献１】実公昭３９−１６２５７号公報
【発明の概要】
【発明が解決しようとする課題】
【０００６】
ところで、特許文献１に記載されたワイヤクリップのように、複数のＵボルトのそれぞれ端部にねじ係合された数多くのナットのそれぞれを回動操作して外片を締め付けた場合、その外片が特許文献１に記載されているように、一枚の板状のものであると、複数のナットのそれぞれを均一に締め付けることは極めて困難であり、一つのナットが強く締め付けられた際には他の残りのナットのそれぞれの締め直しを行って、全てのナットの締め付け力の均一化を図る必要が生じ、２条のワイヤロープの締結に非常に手間がかかるという不都合がある。
【０００７】
また、ワイヤクリップは、上記のような２条のワイヤロープの締結以外に、１本のワイヤロープの中間部を締結する取り付けとし、そのワイヤクリップによりワイヤロープに負荷される大きな荷重を受ける場合にも使用される。そのような使用の際にも全てのナットの締め付け力の均一化を図る必要が生じ、ワイヤロープの締結に非常に手間がかかっていた。
【０００８】
この発明の課題は、複数のナットの均一な締め付けによってワイヤロープを締結する作業を能率よく行うことができるようにしたワイヤクリップを提供することである。
【課題を解決するための手段】
【０００９】
上記の課題を解決するために、この発明においては、ワイヤロープが挿入されるロープ溝を対向内面に有する一対の挟持プレートを有し、その一対の挟持プレートのそれぞれに前記ロープ溝の両側部に形成されて挟持プレートの幅方向で対向する一対のボルト挿入孔を挟持プレートの長さ方向に間隔をおいて少なくとも３つ以上形成し、一対の挟持プレートの一方の端部の角部に爪を設け、かつ、他方の端部の角部には対向する挟持プレートに形成された前記爪が挿入される切欠部を形成し、前記一対の挟持プレートを前記ボルト挿入孔に挿入されるボルトと、そのボルトの端部にねじ係合されたナットの締め付けにより締結して、前記ロープ溝に挿入されたワイヤロープを挟持するようにしたワイヤクリップにおいて、前記一対の挟持プレートの一方の挟持プレートを、長さ方向に並ぶボルト挿入孔間に分割面が位置するようにして長さ方向に複数に分割した構成を採用したのである。
【００１０】
上記の構成からなるワイヤクリップにおいて、アイを形成する折り返し端部とワイヤロープの端部の重なり部の２条のワイヤロープの締結に際しては、アイに連なる２条のワイヤロープのそれぞれを一対の挟持プレートの対向面に形成されたロープ溝のそれぞれに挿入する状態で、その挟持プレートに形成された複数のボルト挿入孔のそれぞれにボルトを挿入し、そのボルトのそれぞれ端部にナットをねじ係合して締め付ける。
【００１１】
このとき、一対の挟持プレートの一方の挟持プレートは長さ方向に複数に分割されているため、一方の挟持プレートを締め付ける複数のナットは挟持プレートの分割数に応じて組み分けされ、その組み分けにより分割挟持プレートを締め付けるナット数は少なく、その少ない数のナットの相互においては締め付け力の均一化が図り易くなる。その結果、複数のナットの締め付けによるワイヤロープの締結を能率よく行うことができる。
【００１２】
ここで、一方の挟持プレートの分割面の一方に凹部を設け、他方にその凹部に嵌合される凸部を設けることにより、ナットの締め付けによって対向する一対の分割挟持プレートが相対的に傾くのが阻止され、安定した締め付け状態を得ることができる。
【００１３】
ボルトはねじ軸部の端部に頭部を設けた頭部付きのボルトであってもよく、Ｕボルトであってもよい。Ｕボルトを採用することにより、挟持プレートの幅方向で対向する対向一対のボルト挿入孔にＵボルトの一対のねじ軸部を同時に挿入することができるため、締め付け作業をより能率よく行うことができる。
【発明の効果】
【００１４】
この発明においては、上記のように、一対の挟持プレートの一方の挟持プレートを長さ方向に複数に分割したことにより、分割挟持プレートを少ない数のナットで締め付けることができ、その少ない数のナットの相互において締め付け力の均一化を図るようにすればよいため、複数のナットの締め付けによるワイヤロープの締結を能率よく行うことができる。
【図面の簡単な説明】
【００１５】
【図１】この発明に係るワイヤクリップを用いてワイヤロープの端部にアイを形成した状態の正面図
【図２】図１に示すワイヤクリップ部を拡大した状態の正面図
【図３】図２の平面図
【図４】図２の底面図
【図５】図２の左側面図
【図６】図２のVI−VI線に沿った断面図
【図７】この発明に係るワイヤクリップの他の実施の形態を示す平面図
【発明を実施するための形態】
【００１６】
以下、この発明の実施の形態を図面に基づいて説明する。図１は、ワイヤロープ１の端部を折り返してアイ２を設け、そのアイ２に連なる２本のワイヤロープの重なり部をこの発明に係るワイヤクリップ１０で締結した状態を示す。
【００１７】
図２乃至図６に示すように、ワイヤクリップ１０は、対向一対の挟持プレート２０と、その一対の挟持プレート２０を締結するボルト３０およびナット４０とからなる。
【００１８】
一対の挟持プレート２０は、平面形状が長方形をなし、その対向内面には幅方向の中央部に両端に至る断面円弧状のロープ溝２１が形成され、そのロープ溝２１に対してワイヤロープ１が挿入可能とされている。
【００１９】
ロープ溝２１の内面には、ワイヤロープ１を形成する複数のストランドの撚りに沿う捩じり溝２２が形成されている。
【００２０】
また、一対の挟持プレート２０のそれぞれには、ロープ溝２１の両側部に、挟持プレート２０の幅方向で対向する一対のボルト挿入孔２３が挟持プレート２０の長さ方向に間隔をおいて３組形成されており、それぞれのボルト挿入孔２３に対してボルト３０が挿入可能とされている。
【００２１】
一対の挟持プレート２０の一方の端部における両角部には爪２４が設けられている。また、他方の端部における両角部には切欠部２５が形成され、その切欠部２５に対する他方の挟持プレート２０の爪２４の嵌合によって一対の挟持プレート２０は、ボルト挿入孔２３が互いに一致する組み合わせ状態に保持される。
【００２２】
一対の挟持プレート２０のうち、一方の挟持プレート２０は、長さ方向に並ぶボルト挿入孔２３間に分割面が位置するようにして長さ方向に２分割され、その分割によって第１分割挟持プレート２０ａと第２分割挟持プレート２０ｂが設けられている。
【００２３】
第１分割挟持プレート２０ａの分割面には凹部２６が形成され、一方、第２分割挟持プレート２０ｂの分割面には上記凹部２６に嵌合される凸部２７が形成されている。
【００２４】
実施の形態で示すワイヤクリップは上記の構造からなり、図１は、ワイヤロープ１の端部を折り返し、その折り返し端部をワイヤロープ１に重ね合わせてアイ２を形成し、そのアイ２の両端部に連なる２条の互いに重なり合うワイヤロープ１を一対の挟持プレート２０で挟持した状態を示す。
【００２５】
ここで、アイ２の両端部に連なる２条のワイヤロープ１の挟持に際しては、２条のワイヤロープ１のそれぞれが一対の挟持プレート２０に形成されたロープ溝２１のそれぞれに挿入され、爪２４が対向する挟持プレート２０の切欠部２５に嵌合し、ボルト挿入孔２３が同軸上に配置される一対の挟持プレート２０の組み合わせ状態において、同軸上に配置された複数のボルト挿入孔２３のそれぞれにボルト３０を挿入し、そのボルト３０の端部にナット４０をねじ係合して締め付ける。
【００２６】
このとき、一対の挟持プレート２０の一方の挟持プレート２０は第１分割挟持プレート２０ａと第２分割挟持プレート２０ｂとに分割され、第１分割挟持プレート２０ａにおいては２個のナット４０を組みとして締め付けとされ、一方、第２分割挟持プレート２０ｂにおいては４個のナット４０を組みとして締め付けとされるため、組を形成する少ない数のナット４０の相互において締め付け力の均一化が図り易くなり、２条のワイヤロープ１の締結作業を能率よく行うことができる。
【００２７】
また、第１分割挟持プレート２０ａの分割面には凹部２６が形成され、その凹部２６に第２分割挟持プレート２０ｂの凸部２７が嵌合されているため、ナット４０の締め付けによって一対の分割挟持プレート２０ａ、２０ｂが相対的に傾くのが阻止され、安定した締め付け状態とされる。
【００２８】
図２および図３に示す例においては、一方の挟持プレート２０を第１分割挟持プレート２０ａと第２分割挟持プレート２０ｂとに２分割したが、図７に示すように、一方の挟持プレート２０を長さ方向に３分割して、第１分割挟持プレート２０ａ乃至第３分割挟持プレート２０ｃを形成するようにしてもよい。
【００２９】
また、実施の形態では、一対の挟持プレート２０のそれぞれに、その挟持プレートの幅方向で対向する一対のボルト挿入孔２３を挟持プレート２０の長さ方向に間隔をおいて３組形成したが、組数は３組に限定されず、３組以上あればよい。
【００３０】
さらに、実施の形態では、２条のワイヤロープ１を締結する場合の使用を例にとって説明したが、１本のワイヤロープを締結する場合にも使用することができる。
【符号の説明】
【００３１】
１０  ワイヤクリップ
２０  挟持プレート
２０ａ  第１分割挟持プレート
２０ｂ  第２分割挟持プレート
２０ｃ  第３分割挟持プレート
２１  ロープ溝
２３  ボルト挿入孔
２４  爪
２５  切欠部
２６  凹部
２７  凸部
３０  ボルト
４０  ナット
【図１】
2015031302.tif 000003
【図２】
2015031302.tif 000004
【図３】
2015031302.tif 000005
【図４】
2015031302.tif 000006
【図５】
2015031302.tif 000007
【図６】
2015031302.tif 000008
【図７】
2015031302.tif 000009